(57)【要約】【課題】  応答メッセージとして、留守である旨を、発信者に送出するファクシミリ機能付留守番電話装置において、応答メッセージを作成する際に、ユーザの名前や電話番号を重複して入力する手間を省くことができ、しかも、名前または電話番号を用いることを簡単に選択できるファクシミリ機能付留守番電話装置を提供することを目的とするものである。【解決手段】  応答メッセージとして、留守である旨を、発信者に送出するファクシミリ機能付留守番電話装置において、応答メッセージを作成する際に、電話装置全体の情報として既に登録されている利用者特定情報（電話番号、名前）を流用する。【選択図】  図１
2006101189.tif 000002
【特許請求の範囲】
【請求項１】
応答メッセージとして、留守である旨を、発信者に送出するファクシミリ機能付留守番電話装置において、
上記ファクシミリ機能付留守番電話装置全体の情報である利用者特定情報を予め登録する登録手段と；
上記登録手段を用いて登録されている利用者特定情報を記憶する記憶手段と；
応答メッセージの候補となる断片化された複数の応答メッセージ断片と、上記応答メッセージ断片を組み合わせて完成された応答メッセージとを作成する応答メッセージ作成手段と；
上記応答メッセージを、音声合成音に変換する音声合成手段と；
上記留守番電話装置の留守番電話機能動作時に、上記記憶手段に記憶されている利用者特定情報を読み出し、この読み出された利用者特定情報と、上記応答メッセージ作成手段を用いて作成された応答メッセージとを組み合わせて、発信先電話装置にメッセージを送出する応答メッセージ送出制御手段と；
を有することを特徴とするファクシミリ機能付留守番電話装置。
【請求項２】
請求項１において、
上記利用者特定情報は、名前または電話番号であり、
上記応答メッセージ送出制御手段は、上記利用者特定情報と上記応答メッセージとを組み合わせる際に、名前、電話番号のうちの少なくとも１つを用いることを特徴とするファクシミリ機能付留守番電話装置。
【発明の詳細な説明】
【技術分野】
【０００１】
本発明は、ファクシミリ機能付留守番電話装置における応答メッセージ作成手段に関する。
【背景技術】
【０００２】
従来、被呼者は、電話装置を留守番電話モードに予めセットしておくことによって、電話がかかってきた際、その発信者に応答メッセージを自動的に送出する留守番電話装置が広く知られている。
【０００３】
この電話装置の応答メッセージとして、被呼者が自分の声で録音したメッセージを使用し、または、装置固有の応答メッセージを使用することが多い。
【０００４】
被呼者が自分の声で録音したメッセージを、応答メッセージとして使用する場合、被呼者が自分で録音するので、ユーザが億劫になることが多いという問題があり、被呼者が女性の一人暮らしである場合、被呼者が自分の声で録音すると、防犯上の問題がある。
【０００５】
装置固有の応答メッセージを、応答メッセージとして使用する場合、被呼者の電話装置が、被呼者を名乗らないので、発信者は、所望の相手の電話装置に本当に電話しているのかどうか不安であるという問題がある。
【０００６】
この問題を解決するために、応答メッセージを文字入力し、音声合成を用いて応答メッセージを送出する留守番電話装置が開発されている（たとえば、特許文献１、特許文献２参照）。
【０００７】
この従来の電話装置では、ユーザの名前や電話番号を文字入力することによって、「はい、鈴木です。ただいま留守にしております。御用の方はメッセージをお願いします。」や、「こちらは、０３−ＸＸＸＸ−ＹＹＹＹです。ただいま留守にしております。御用の方はメッセージをお願いします。」という応答メッセージを作成し、音声合成を用いて発信者にメッセージを送出している。
【特許文献１】特開平１１−６８９２７号公報
【特許文献２】特開２０００−２１６８７５号公報
【発明の開示】
【発明が解決しようとする課題】
【０００８】
上記応答メッセージを文字入力する従来の留守番電話装置において、名前や電話番号等の利用者特定情報を、ユーザがわざわざ入力する必要があり、その作業が、煩雑であるという新たな問題が発生する。
【０００９】
本発明は、応答メッセージとして、留守である旨を、発信者に送出するファクシミリ機能付留守番電話装置において、応答メッセージを作成する際に、ユーザの名前や電話番号を重複して入力する手間を省くことができ、しかも、名前または電話番号を用いることを簡単に選択できるファクシミリ機能付留守番電話装置を提供することを目的とするものである。
【課題を解決するための手段】
【００１０】
本発明は、応答メッセージとして、留守である旨を、発信者に送出するファクシミリ機能付留守番電話装置において、上記ファクシミリ機能付留守番電話装置全体の情報である利用者特定情報を予め登録する登録手段と、上記登録手段を用いて登録されている利用者特定情報を記憶する記憶手段と、応答メッセージの候補となる断片化された複数の応答メッセージ断片と、上記応答メッセージ断片を組み合わせて完成された応答メッセージとを作成する応答メッセージ作成手段と、上記応答メッセージを、音声合成音に変換する音声合成手段と、上記留守番電話装置の留守番電話機能動作時に、上記記憶手段に記憶されている利用者特定情報を読み出し、この読み出された利用者特定情報と、上記応答メッセージ作成手段を用いて作成された応答メッセージとを組み合わせて、発信先電話装置にメッセージを送出する応答メッセージ送出制御手段とを有するファクシミリ機能付留守番電話装置である。
【発明の効果】
【００１１】
本発明によれば、応答メッセージとして、留守である旨を、発信者に送出するファクシミリ機能付留守番電話装置において、応答メッセージを作成する際に、電話装置全体の情報として既に登録されている利用者特定情報を流用するので、ユーザの名前や電話番号を重複して入力する手間を省くことができ、しかも、名前または電話番号を用いることを簡単に選択できるという効果を奏する。
【００１２】
また、本発明によれば、ユーザは、より簡単に自作の応答メッセージを作成することができ、また、応答メッセージに利用する利用者特定情報を、名前にするか、電話番号にするかを選択できるので、より柔軟に応答メッセージを作成することができるという効果を奏する。
【発明を実施するための最良の形態】
【００１３】
発明を実施するための最良の形態は、次の実施例である。
【実施例１】
【００１４】
図１は、本発明の実施例１であるファクシミリ機能付留守番電話装置Ｔ１を示すブロック図である。
【００１５】
ファクシミリ機能付留守番電話装置Ｔ１は、中央演算処理部（ＣＰＵ）１０と、ＲＯＭ２０と、不揮発性ＲＡＭ２１と、記憶部（ＤＲＡＭ）２２と、表示部３０と、操作部４０と、留守番電話制御部５０と、通信部６０と、音声再生部７０と、音声合成部７１とを有する。
【００１６】
中央演算処理部（ＣＰＵ）１０は、装置全体を制御する。ＲＯＭ２０は、プログラムとデータとを記憶する。
【００１７】
不揮発性ＲＡＭ２１は、個人データ、電話帳等のバックアップ用のデータを登録する。
【００１８】
記憶部（ＤＲＡＭ）２２は、ＣＰＵワークスペース、利用者特定情報格納エリア、応答メッセージ選択情報格納エリアを有する。
【００１９】
表示部３０は、利用者特定情報入力画面３４や、応答メッセージ選択画面３５等、画面情報をカラー表示する。
【００２０】
図２は、表示部３０の構成を示す図である。
【００２１】
表示部３０は、図２に示すように、表示データを記憶するＶＲＡＭ３１と、ＶＲＡＭ３１の内容をドットマトリクスＬＣＤ３３に出力させるためのＬＣＤドライバ３２と、ドットマトリクスＬＣＤ３３とを有する。
【００２２】
操作部４０は、テンキー等によって構成されている。留守番電話制御部５０は、利用者特定情報格納エリア、応答メッセージ選択情報格納エリア等にアクセスし、設定値やデータを編集する。
【００２３】
通信部６０は、回線Ｌを接続し、外部と通信するためのモデムや呼接続を行うＮＣＵ等によって構成されている。音声再生部７０は、音声のアナログ波形を処理し、スピーカＳＰを介して、応答メッセージをユーザに通知する。
【００２４】
音声合成部７１は、テキスト情報で記憶されている音声データを解析し、音声のアナログ波形データを生成する。なお、上記各処理部は、システムバスＢで接続されている。
【００２５】
つまり、中央演算処理部１０は、応答メッセージの候補となる断片化された複数の応答メッセージ断片と、上記応答メッセージ断片を組み合わせて完成された応答メッセージとを作成する応答メッセージ作成手段の例である。音声合成部７１は、応答メッセージを、音声合成音に変換する音声合成手段の例である。
【００２６】
中央演算処理部１０は、上記留守番電話装置の留守番電話機能動作時に、上記記憶手段に記憶されている利用者特定情報を読み出し、この読み出された利用者特定情報と、上記応答メッセージ作成手段を用いて作成された応答メッセージとを組み合わせて、発信先電話装置にメッセージを送出する応答メッセージ送出制御手段の例である。
【００２７】
図３は、電話装置Ｔ１の操作部４０を示す外観構成図である。
【００２８】
操作部４０は、電話番号等を入力するテンキー４２と、機能設定等に用いる機能キー４３と、マルチな入力に用いる４つのファンクションキー４４と、設定入力キーであるセットキー４５と、表示部３０のカーソル移動等に用いる左右上下方向キー４６と、留守番電話モードの切り替えに用いる留守キー４７と、操作中の動作を中断するために用いるＳＴＯＰキー４８と、通話や留守録の音声データを録音する際に用いられるハンドセット４９とを有する。
【００２９】
ユーザは、留守番電話装置Ｔ１を購入した際に、利用者特定情報（電話番号、名前）を入力する。
【００３０】
図４は、表示部３０に表示されている利用者特定情報入力画面３４を示す図である。
【００３１】
ユーザは、操作部４０を用いて、電話番号入力欄３４１と名前入力欄３４２とに、それぞれユーザの電話番号とユーザの名前とを入力する。入力が終了したら、確定キー３４３を押下することによって、利用者特定情報の入力を終了する。
【００３２】
図５は、ＤＲＡＭ２２に登録されている送信者情報の例を示す図である。
【００３３】
上記入力した電話番号と名前とは、図５に示すように、利用者特定情報格納エリアに登録する。上記利用者特定情報格納エリアは、記憶部ＤＲＡＭ２２の内部に割り当てられている。ここで入力した電話番号と名前とは、従来のファクシミリのプロトコルが定めているファクシミリ送信の手順に従って、相手に送信される。
【００３４】
次に、応答メッセージの作成手順を、応答メッセージ選択画面３５を用いて説明する。
【００３５】
図６は、表示部３０に表示されている応答メッセージ候補選択画面を示す図である。
【００３６】
応答メッセージ候補選択画面には、第１ブロック３５１、応答メッセージ候補３５２、第３ブロック３５３、名前入力キー３５４、確定キー３５５、情報切替キー３５６が表示されている。
【００３７】
操作部４０の左右キーを用いて、応答メッセージ候補ブロックの文字列を選択することができる。
【００３８】
図７は、固定音声情報格納領域２０ａに格納されている内容の例を示す図である。
【００３９】
応答メッセージ候補ブロックの文字列であって、選択する文字列の候補は、図７に示すように、固定音声情報格納領域２０ａに格納されている。固定音声情報格納領域２０ａは、ＲＯＭ２０に割り当てられている。応答メッセージ候補第１ブロック３５１には、ユーザの名前を登録できる。
【００４０】
従来の技術では、ここで、ユーザが音声または文字入力手段を用いて名前、または電話番号を入力する。留守番電話装置Ｔ１では、留守番電話装置Ｔ１に登録されている利用者特定情報を流用し、応答メッセージ候補第１ブロック３５１に予めセットする。
【００４１】
ユーザは、もし、そのままで良かったら、応答メッセージ候補第２ブロックの選択に進む。変更したい場合は、名前入力キー３５４を選択することによって、従来例と同様に、名前入力をすることもできる。
【００４２】
以上のように、ユーザは、応答メッセージを作成するときに、既に登録されている利用者特定情報を、流用することができるので、名前や電話番号を何度も入力するという煩わしさから開放される。
【００４３】
また、利用者特定情報を流用する際に、名前を流用するか、電話番号を流用するかを選択する場合は、情報切替キー３５６を押下する。この押下によって、応答メッセージ候補第１ブロックが、「こちらは鈴木です。」、「こちらは０３−ＸＸＸＸ−ＹＹＹＹです。」、「こちらは鈴木、０３−ＸＸＸＸ−ＹＹＹＹです。」、「こちらは留守番電話です。」というように、選択的に切り替わる。これによって、ユーザは、応答メッセージとして、利用者特定情報をさまざまなパターンで作成することができ、したがって、用途に応じて、容易に切り替えることができる。
【００４４】
ここで作成した応答メッセージは、記憶部ＤＲＡＭ２２に保存される。
【００４５】
なお、「ただいま留守にしております。メッセージをお願いします。」といった、従来からある固定のメッセージも選択できる。
【図面の簡単な説明】
【００４６】
【図１】本発明の実施例１であるファクシミリ機能付留守番電話装置Ｔ１を示すブロック図である。
【図２】表示部３０の構成を示す図である。
【図３】電話装置Ｔ１の操作部４０を示す外観構成図である。
【図４】表示部３０に表示されている利用者特定情報入力画面３４の図である。
【図５】ＤＲＡＭ２２に登録されている送信者情報の例を示す図である。
【図６】表示部３０に表示されている応答メッセージ候補選択画面の図である。
【図７】固定音声情報格納領域２０ａに格納されている内容の例を示す図である。
【符号の説明】
【００４７】
Ｔ１…ファクシミリ機能付き留守番電話装置、
１０…中央演算処理部、
２０…ＲＯＭ、
２１…不揮発性ＲＡＭ、
２２…記憶部、
３０…表示部、
４０…操作部、
５０…留守番電話制御部、
６０…通信部、
７０…音声再生部、
７１…音声合成部。
【図１】
2006101189.tif 000003
【図２】
2006101189.tif 000004
【図３】
2006101189.tif 000005
【図４】
2006101189.tif 000006
【図５】
2006101189.tif 000007
【図６】
2006101189.tif 000008
【図７】
2006101189.tif 000009